(57)【要約】      （修正有）【課題】インクジェット印刷機における欠陥印刷ノズルを計算機によって補償する方法を提供する。【解決手段】欠陥印刷ノズル１１を、隣り合う複数の印刷ノズル１３のインク液滴体積を増大させることによって補償し、すべての印刷ノズルの印刷点の実際位置を算出し、それぞれの印刷ノズルに対し、それらの故障を補償するため、それぞれ隣り合う印刷ノズル１３、１４の必要なインク液滴体積を、それぞれ隣り合う印刷ノズルの印刷点の実際位置に依存して計算する、方法において、それぞれ隣り合う印刷ノズル１３の増大されたインク液滴体積に加えて、それぞれ１つおいて隣り合う印刷ノズル１４の減少されたインク液滴体積を計算し、それぞれの印刷ノズルの印刷点に依存して、全体のインク液滴体積を計算する。【選択図】図４
2019142222.tif 000002
【特許請求の範囲】
【請求項１】
インクジェット印刷機（７）における欠陥印刷ノズル（１１）を計算機（６、１９）によって補償する方法であって、欠陥印刷ノズル（１１）を、隣り合う複数の印刷ノズル（１３）のインク液滴体積を増大させることによって補償し、すべての印刷ノズルの印刷点の実際位置を算出し、それぞれの印刷ノズルに対し、印刷ノズルの故障を補償するため、それぞれ隣り合う印刷ノズル（１３、１４）の必要なインク液滴体積を、それぞれ隣り合う前記印刷ノズルの前記印刷点の前記実際位置に依存して計算する、方法において、
それぞれ隣り合う前記印刷ノズル（１３）の増大されたインク液滴体積に加えて、それぞれ１つおいて隣り合う印刷ノズル（１４）の減少されたインク液滴体積を計算し、それぞれの前記印刷ノズルの印刷点に依存して、全体のインク液滴体積を計算する、
ことを特徴とする方法。
【請求項２】
最初に、前記隣り合う印刷ノズル（１３）もしくは前記１つおいて隣り合う印刷ノズル（１４）の最適な印刷点に基づき、前記増大されたインク液滴体積および前記減少されたインク液滴体積に対する値を計算し、次に、これらの値に基づき、前記隣り合う印刷ノズル（１３）もしくは前記１つおいて隣り合う印刷ノズル（１４）の実際の印刷点に対する、前記増大されたインク液滴体積および前記減少されたインク液滴体積の依存度を算出し、次に、算出した前記依存度を使用することにより、前記増大されたインク液滴体積および前記減少されたインク液滴体積に対する実際値を計算することにより、それぞれ隣り合う前記印刷ノズル（１３）もしくは１つおいて隣り合う前記印刷ノズル（１４）の前記増大されたインク液滴体積および前記減少されたインク液滴体積の計算を前記計算機（６、１９）によって行う、ことを特徴とする、
請求項１記載の方法。
【請求項３】
前記増大されたインク液滴体積および前記減少されたインク液滴体積の、前記実際の印刷点に対する前記依存度の前記算出を、インクジェット検査台上での測定によって、またはシミュレーションによって行う、ことを特徴とする、
請求項２記載の方法。
【請求項４】
それぞれ隣り合う前記印刷ノズル（１３）もしくは１つおいて隣り合う前記印刷ノズル（１４）の前記増大されたインク液滴体積および前記減少されたインク液滴体積の、前記計算機（６、１９）による前記計算を、付加的または代替的に、それぞれの前記印刷ノズルの印刷強さに対する、前記増大されたインク液滴体積および前記減少されたインク液滴体積の依存度を算出および使用することによって行う、ことを特徴とする、
請求項２または３記載の方法。
【請求項５】
前記増大されたインク液滴体積および前記減少されたインク液滴体積の、隣り合う前記印刷ノズル（１３）もしくは前記１つおいて隣り合う印刷ノズル（１４）の実際の印刷点に対する前記依存度を特性曲線の形態で表し、使用時に前記計算機（６、１９）により、補間によって計算する、ことを特徴とする、
請求項１から４までのいずれか１項記載の方法。
【請求項６】
それぞれ隣り合う前記印刷ノズル（１３）もしくは１つおいて隣り合う前記印刷ノズル（１４）の前記増大されたインク液滴体積および前記減少されたインク液滴体積の、前記計算機（６、１９）による計算に対し、隣り合う前記印刷ノズル（１３）もしくは１つおいて隣り合う前記印刷ノズル（１４）の実際の印刷点間の相互作用を考慮する、ことを特徴とする、
請求項１から５までのいずれか１項記載の方法。
【請求項７】
それぞれ隣り合う前記印刷ノズル（１３）もしくは１つおいて隣り合う前記印刷ノズル（１４）の前記増大されたインク液滴体積および前記減少されたインク液滴体積の、前記計算機（６、１９）による前記計算を、さらに離れて隣り合う印刷ノズルの印刷点および／または印刷強さに対しても行い、前記印刷点および／または前記印刷強さにも基づいて行う、ことを特徴とする、
請求項１から６までのいずれか１項記載の方法。
【発明の詳細な説明】
【技術分野】
【０００１】
本発明が取り扱っているのは、インクジェット印刷機における欠陥印刷ノズルを補償する方法である。
【０００２】
本発明の技術分野は、デジタル印刷である。
【背景技術】
【０００３】
一般にインクジェット印刷機は、１つまたは複数の印刷ヘッドを有し、各印刷ヘッドは複数の印刷ノズルを有する。インクジェット印刷機では、印刷のため、ノズルが使用され、インクが吐出される。印刷機は、個別ノズルが特別に配置されたノズルプレートを有する。「ミッシングノズル」とも称される個々の印刷ノズルの故障時には、個別色分解において、専用に設けられたノズルによって描画できない領域が発生する。したがって、「白すじ」として現れ得る色のない個所が発生する。多色印刷の場合、この個所では、対応する色が欠落し、色値が歪められる。個別ノズルの噴出経過は、理想的には経過せず、多かれ少なかれここからずれ得ることにも注意すべきであり、さらに噴出される点の大きさも考慮すべきである。過度に大きくずれて印刷する印刷ノズルは、そのあらかじめ設定された点に印刷を行わないために「白すじ」を生じさせ、またノズルが誤って印刷した点における、いわゆる「黒すじ」において顕著になるインクの転写も生じさせ得る。通例、過度に大きくずれて、すなわち誤った位置に噴出する印刷ノズルは遮断され、「ミッシングノズル」として補償される。したがって誤動作するノズルは、これが印刷結果に影響する場合、印刷されるすべての文書の印刷品質に打撃を与える。個別ノズルの故障する原因はさまざまであり、故障は一時的な場合も持続的な場合もあり得る。
【０００４】
特にベタ面における印刷画像への影響を低減するため、従来技術からは、補償のための複数のアプローチが公知である。
【０００５】
故障した印刷ノズルを補償するための公知の一アプローチは、故障した印刷ノズルを、同じ個所のそれぞれ別に利用される印刷色のノズルによって置き換えることである。これについての例は、独国特許出願公開第１０２０１４２１９９６５号明細書（DE 10 2014 219 965 A1）に開示されている。ここでは、欠落した印刷色に可能な限りに近いまだ利用可能なインクを所期のように制御して重ねて印刷することが試みられる。これにより、印刷ノズルまたは印刷ヘッドを冗長に設ける必要はなく、また隣り合う印刷ノズルの故障も問題にならなくなる。しかしながらこの補償方法の大きな欠点は、これが多色印刷だけにしか使用できないことである。さらに、必要な色の組み合わせを算出するため、印刷機の計算機による多大な計算および制御が要求される。さらに（残った色の依然として印刷可能な色空間と、欠落した色との色距離に応じて）得られる印刷結果は、目標値からかなり大きくずれてしまうことがある。
【０００６】
故障した印刷ノズルを補償する別のアプローチでは、冗長性によって個別ノズルの故障を補償できるようにするため、同じ色の二重のノズルユニットが設けられる。このような方式の例は、米国特許出願公開第２００６／０２５６１５７号明細書（US 20060256157 A1）および米国特許出願公開第２００６／０２６８０３４号明細書（US 20060268034 A1）から公知である。これは、確かに効果的であるが、対応してコストもかかり、付加的な設置スペースが必要であり、二重のユニットの複雑な制御のような別の問題を伴う。
【０００７】
別の公知のアプローチは、別の複数の系からの印刷ノズルを介して補償を行うことである。すなわち、複数の位置決め可能な印刷ヘッドが、画像の印刷に利用される。印刷ノズルが故障すると、故障したノズルを可能な限りに良好に置き換えるため、印刷ヘッドが新たに位置決めされる。米国特許出願公開第２０１２／００７５３７３号明細書（US 20120075373 A1）および米国特許第７６０７７５２号明細書（US 7607752 B2）には、このアプローチを実現する方法が開示されている。ここでも、実際上、同じ色の印刷ヘッドの冗長性が必要であり、これにより、すでに述べた問題を伴っている。
【０００８】
しかしながら本発明も取り組んでいる最も重要な公知のアプローチでは、同じ色の隣り合う印刷ノズルおよび同じインクジェットユニットによって欠陥を補うことが規定される。すなわち、いずれの個別ノズルが問題になっているかを確定した後、個別の故障したインクジェット印刷ノズルを補償するため、隣り合うノズルを駆動制御し、これにより、これらのノズルの点サイズを拡大し、これにより、故障したノズルの個所が一緒に覆われるようにする。これにより、隣り合うノズルが、故障したノズルの画像を一緒に書き込む。このようにして、欠陥のある個別ノズルによって発生する「白すじ」を阻止することができる。米国特許出願公開第２００６／０１２５８５０号明細書（US 20060125850 A1）には、この原理にしたがって動作する方法および印刷機が記載されている。しかしながらこの方法は、印刷画像に作用を及ぼし、特に、直に隣り合う複数のノズルが故障した場合には問題が生じる。２倍または複数倍の間隔を上回る補償は、不十分にしかできない。
【０００９】
このアプローチの別の実施は、欧州特許第１１５７８４０号明細書（EP 1157840 B1）から公知である。ここでは、欠陥印刷ノズルに関連している画像値は、欠陥のない印刷ノズルに関連しておりかつ欠陥のある印刷ノズルの直ぐ横にありかつ欠陥印刷ノズルと同じ色を有する１つまたは複数の画像値に再分配される。しかしながらここでも、直に隣り合う複数のノズルが故障した場合には問題が生じる。
【００１０】
基本的に発生する問題であって、このアプローチにおいて特に目につく問題は、個々の印刷ノズルの印刷点の実際にずれる位置である。ここで印刷点とは、インク液滴によって形成される色の付いた円のことである。印刷ノズルの印刷点の、その円の中心点において測定した位置は、実際のところ、隣り合う印刷ノズルの印刷点とつねに同じ距離にない。これらの位置は、製造に起因して、または部分的な詰まりにより、印刷方向に対して横方向にまたは縦方向にも多かれ少なかれずれている。これにより、隣り合う印刷ノズルのインク液滴体積を増大させることによって、故障した印刷ノズルを補償するアプローチにおいて、隣り合う印刷ノズルの１つまたは２つの印刷点のうちの１つが、故障した印刷ノズルから遠ざかるようにずれている場合、補償したのにもかかわらず、比較的わずかであったとしても「白すじ」が生じ得ることになる。これに対し、印刷点が、故障した印刷ノズルに向かってずれている場合、過補償になる。この場合には、対応する「ダークライン」が発生する。この問題を取り除くためには、すべての印刷ノズルの印刷点の実際位置を考慮しなければならないことになる。
【００１１】
このために、従来技術からは、独国特許出願公開第１０２０１６２０３９１７号明細書（DE 10 2016 203 917 A1）が公知であり、そこでは、直に隣り合う補償ノズルのインク液滴体が、その印刷位置に依存して計算される。しかしながらこのアプローチの欠点は、直に隣り合う印刷ノズルしか考慮されないことである。しかしながら時間の経過と共に、最適な「ミッシングノズル」補償に対し、直に隣り合う印刷ノズルだけが、補償の強さ（補償強度）としても知られている、増大されたインク吐出量を供給しなければならないことだけではなく、さらに遠くに離れて隣り合う別の印刷ノズルも、過補償を回避するため、ダイリューション（希釈化）とも称される、対応して少量のインクを吐出すべきであることが公知になっている。さらに、隣り合う印刷ノズルのインク吐出量を増大させることによる補償の際に、別の隣り合う印刷ノズルの印刷位置および振幅、すなわち印刷強さも考慮されないことは不利であると判明している。というのはこれによって網点形成された印刷画像において障害が発生するためである。
【発明の概要】
【発明が解決しようとする課題】
【００１２】
したがって本発明の課題は、従来技術から公知の方法の欠点を克服する、欠陥印刷ノズルを補償する方法を開示することである。
【課題を解決するための手段】
【００１３】
この課題は、インクジェット印刷機における故障した印刷ノズルを計算機によって補償する方法であって、故障した印刷ノズルを、隣り合う複数の印刷ノズルのインク液滴体積を増大させることによって補償し、すべての印刷ノズルの印刷点の実際位置を算出し、それぞれの印刷ノズルに対し、それらの故障を補償するため、それぞれ隣り合う印刷ノズルの必要なインク液滴体積を、それぞれ隣り合う印刷ノズルの印刷点の実際位置に依存して計算する、方法において、それぞれ隣り合う印刷ノズルの増大されたインク液滴体積に加えて、それぞれ１つおいて隣り合う印刷ノズルの減少されたインク液滴体積を計算し、それぞれの印刷ノズルの印刷点に依存して、全体のインク液滴体積を計算する、ことを特徴とする方法によって解決される。本発明による方法の核心は、必要なインク液滴体積の計算について、隣り合う印刷ノズルの実際の印刷点を考慮するのに加え、さらに離れて隣り合う印刷ノズル、すなわち１つおいて隣り合う印刷ノズルに対しても同じことを行うことである。この印刷ノズルは、直に隣り合う印刷ノズルの増大されたインク吐出量を部分的に補償し、これによって過補償を回避するため、減少されたインク液滴体積で印刷を行う。これに対しても、すなわち１つおいて隣り合う印刷ノズルに対して、それらのそれぞれ実際の印刷点に依存して、減少されたインク液滴体積を計算する。これにより、補償によってより良好な結果が得られる。というのは、該当する印刷ノズルの計算されかつ変更されたインク液滴体積は、実際の状況に正確に適合されるからである。
【００１４】
本発明の有利な、したがって好適な発展形態は、対応する従属請求項ならびに以下の説明および対応する図面から明らかになる。
【００１５】
本発明による方法の有利な一発展形態では、最初に、隣り合う印刷ノズルもしくは１つおいて隣り合う印刷ノズルの最適な印刷点に基づき、増大されたインク液滴体積および減少されたインク液滴体積に対する値を計算し、次に、これらの値に基づき、隣り合う印刷ノズルもしくは１つおいて隣り合う印刷ノズルの実際の印刷点に対する、増大されたインク液滴体積および減少されたインク液滴体積の依存度を算出し、次に、算出した依存度を使用することにより、増大されたインク液滴体積および減少されたインク液滴体積に対する実際値を計算することにより、それぞれ隣り合う印刷ノズルもしくは１つおいて隣り合う印刷ノズルの増大されたインク液滴体積および減少されたインク液滴体積の計算を計算機によって行う。該当する隣り合う印刷ノズルのそれぞれ増大されたインク液滴体積および低減されたインク液滴体積に対する値を計算するため、またその際に計算のためにすべての印刷ノズルの実際の印刷点をそれぞれを取り入れるため、当然のことながらまず一度、増大されたインク液滴体積もしくは低減されたインク液滴体積に対する標準値を計算しなければならない。これは、実際にはじめから既知である、該当する印刷ノズルのそれぞれ最適な印刷位置に基づいて、増大されたインク液滴体積および減少されたインク液滴体積に対する値を計算することによって行われる。次に、これらの値により、それぞれの実際の印刷位置に対する、増大されたインク液滴体積もしくは減少されたインク液滴体積の依存度を算出することができる。このような依存度は、例えば、増大されたインク液滴体積で印刷すべきである直に隣り合う印刷ノズルの実際の点が、故障した印刷ノズルの近くにある場合、増大されるインク液滴体積は、実際の印刷点が、さらに離れてそれぞれ１つおいて隣り合う別の印刷ノズルにあるときよりも、少なくなるはずである、という事実に関連する。この場合にはこの依存度を用いて、増大されたインク液滴体積および減少されたインク液滴体積に対する実際値を計算することができる。
【００１６】
本発明による方法の別の有利な一発展形態では、増大されたインク液滴体積および減少されたインク液滴体積の、実際の印刷点に対する依存度の算出を、インクジェット検査台上での測定によって、またはシミュレーションによって行う。増大されたインク液滴体積もしくは減少されたインク液滴体積の、実際の印刷位置に対する依存度の算出には、当然のことながら暗黙的に実際の印刷位置の測定も含まれる。これは、インクジェット検査台上で実際に測定されるかまたはシミュレーションによって算出することも可能である。
【００１７】
本発明による方法の別の有利な一発展形態では、それぞれ隣り合う印刷ノズルもしくは１つおいて隣り合う印刷ノズルの増大されたインク液滴体積および減少されたインク液滴体積の、計算機による計算を、付加的または代替的に、それぞれの印刷ノズルの印刷強さに対する、増大されたインク液滴体積および減少されたインク液滴体積の依存度を算出および使用することによって行う。別の点は、実際の印刷点に対する、増大されたインク液滴体積および減少されたインク液滴体積の依存度を算出するだけでなく、それぞれの印刷強さ、すなわちそれぞれの印刷ノズルの振幅に対する依存度も同様に算出することにある。この依存度は、実際の印刷点に対する依存度を使用するのに加えてまたはこれとは代替的に使用可能である。この付加的な使用により、改善された結果が得られるが、本発明による方法のコストも増大する。
【００１８】
本発明による方法の別の有利な一発展形態では、増大されたインク液滴体積および低減されたインク液滴体積の、隣り合う印刷ノズルもしくは１つおいて隣り合う印刷ノズルの実際の印刷点に対する依存度を特性曲線の形態で表し、使用時に補間によって計算する。実際の印刷点に対する、インク液滴体積の依存度が一定でなく、これが、対応する位置のずれに依存する場合、これは、特性曲線を介して表すことが可能である。この場合に特性曲線の欠落している値は、使用時には相応に、補間によって計算しなければならない。
【００１９】
本発明による方法の別の有利な一発展形態では、それぞれ隣り合う印刷ノズルもしくは１つおいて隣り合う印刷ノズルの増大されたインク液滴体積および低減されたインク液滴体積の、計算機による計算に対し、隣り合う印刷ノズルもしくは１つおいて隣り合う印刷ノズルの実際の印刷点間の相互作用を考慮する。付加的には、変化したすべてのインク液滴体積の計算に対し、すなわち直に隣り合うインク液滴体積の計算に対しても、１つおいて隣り合うインク液滴体積の計算に対しても、場合によってはさらに離れて隣り合うインク液滴体積の計算に対しても、すべての実際の印刷点に依存して、上記の印刷ノズルを計算する。すなわち、例えば左側で直に隣り合うインク液滴体積の計算には、もしくは故障した印刷ノズルに対して左側で直に隣り合う対応する印刷ノズルの計算には、それそのものの実際の印刷点だけが含まれるのではなく、問題となる別の複数の隣り合う印刷ノズルの実際の印刷点もわずかに含まれる。この正確な調整により、例えば、インクジェット印刷機によって形成しようとしているすでに網目形成された印刷画像における障害を最小化することができる。
【００２０】
本発明による方法の別の有利な一発展形態では、増大されたインク液滴体積および減少されたインク液滴体積の、計算機による計算を、さらに離れて隣り合う印刷ノズルの印刷点および／または印刷強さに対しても行い、印刷点および／または印刷強さにも基づいて行う。それぞれ隣り合う印刷ノズルおよびそれぞれ１つおいて隣り合う印刷ノズルという概念は、直に隣り合う２つの印刷ノズルおよびそれぞれ１つおいて隣り合う２つの印刷ノズルだけを意味すると解釈してはならず、これによって印刷ノズルからなるグループを意味することも可能である。したがって、例えば、それぞれ直に隣り合う複数の印刷ノズル、例えばはじめの３つが、増大されたインク液滴体積で印刷するのに対し、これらに直に続き、１つおいて隣り合う、例えば同様に３つの印刷ノズルからなる別のグループが、対応して低減されたインク液滴体積で印刷することが可能である。対応する方式に組み込まれる隣り合う印刷ノズルが多ければ多いほど、すなわち同程度に増大されたインク塗布の直に隣り合う印刷ノズル、同程度に低減された塗布の１つおいて隣り合う印刷ノズルが多ければ多いほど、本発明による補償方法はそれだけ正確になる。しかしながらこれに伴う欠点は、本発明による方法に対する、対応する計算コストも相応に増大することである。
【００２１】
本発明それ自体および本発明の構成的または機能的に有利な発展形態を、以下、少なくとも１つの好適の実施例に基づき、対応する図面を参照して詳しく説明する。図面において、互いに対応する要素にはそれぞれ同じ参照符号が付されている。
【図面の簡単な説明】
【００２２】
【図１】枚葉紙インクジェット印刷機のシステムを略示する図である。
【図２】図案化されて描画されたミッシングノズル欠陥を有する例示的な枚葉紙を示す図である。
【図３】画像検出システムを備えた印刷機システムの例を示す図である。
【図４】インク液滴体積の位置および計算の例を示す図である。
【図５】本発明による方法の流れ図である。
【発明を実施するための形態】
【００２３】
好適な一実施例の適用領域は、インクジェット印刷機７である。図１にはこのような印刷機７の基本的な構造の例が示されており、印刷機７は、印刷ヘッド５によって印刷が行われる印刷機構４へ印刷基体２を供給するフィーダ１からデリバリ３までによって構成されている。この例において印刷機は、制御計算機６によって制御される枚葉紙インクジェット印刷機７である。この印刷機７の動作時には、すでに説明したように、印刷機構４の印刷ヘッド５において個々の印刷ノズルが故障することがある。この場合、結果的に「白すじ」９もしくは多色印刷の場合には歪んだ色値が発生する。印刷画像８におけるこのような「白すじ」９の例は、図２に示されている。
【００２４】
図３に、使用される印刷機システム１５の例が示されている。印刷機システム１５は、印刷機７それ自体の他、少なくとも１つの画像センサと印刷機７に組み込まれている少なくとも１つのカメラ１６とを有する画像検出システム１７から成る。少なくとも１つのカメラ１６は、印刷機７によって形成された印刷画像８を撮影し、評価のため、計算機６、１９にデータを送信する。この計算機６、１９は、例えば１つまたは複数の特殊化された画像処理計算機１９である専用の別個の計算機であってよく、または印刷機７の制御計算機６と同じであってもよい。さらに全過程は、作業フローシステム１８によって制御される。作業フローシステム１８は、ユーザ２０をサポートする。すなわち状況に応じて、例えば、印刷ジョブの作業員または印刷機７それ自体における印刷工をサポートする。
【００２５】
図５に、好適な一変形実施例における、本発明による方法の流れが略示されている。ここで提案される方法では、補償に関与する印刷ノズルの補償の強さ１３およびダイリューション１４の強さが、計算機６、１９により、それらの印刷位置もしくは印刷点および／または振幅に依存して選択される。
【００２６】
最初に、欠陥ノズルの検出の枠内で、所定の印刷ノズルテストパターン２１のような制御要素の印刷および評価を介して、印刷ノズルの印刷位置、振幅および分散などのような、印刷ノズルの噴出特性が測定される。次に、このテストパターン２１は、画像検出システム１７によって検出されてデジタル化される。印刷して検出した印刷ノズルテストパターン２２に基づき、欠陥のあるノズル１１の遮断が決定され、さらにこれにより、説明した補償方法を適用するのに必要なすべてのデータが既知になる。
【００２７】
第２ステップでは、標準補償の強さＫＦｓｔｄおよび標準ダイリューションの強さＤＦｓｔｄが算出される。すでに説明したように、直に隣り合うノズル１３が増大（補償の強さ、補償が強化）されるのに対し、１つおいて隣り合うノズル１４は減少（ダイリューション）される。このことは、例示的に、図４において模式的な概略図１０の形態で示されている。ここでは、印刷ノズル４が遮断される。というのはこの印刷ノズルが「不良の噴出装置」であり、すなわち大きくはずれた印刷点を有するからである。この場合にこの欠陥印刷ノズル１１の補償は、印刷ノズル３および５を介してＫＦ＞１で行われ、かつノズル２、６を介してＤＦ＜１のダイリューションで行われる。印刷ノズル５も同様に、ずれた印刷点１２を有する印刷ノズルであるが、まだ印刷に使用することができ、そのため、このノズルはアクティブのままである。
【００２８】
ＫＦｓｔｄおよびＤＦｓｔｄの算出は、隣り合う印刷ノズル１３、１４の網点面積率、補償の強さ（ＫＦ３＝ＫＦ５）およびダイリューションの強さ（ＤＦ２＝ＤＦ６）を変化させ、人為的に遮断したノズルを用いて特別な印刷ノズルテストパターン２１を印刷することによって行われる。これらのパラメタに対する最適な範囲もしくは最適な値の算出は、印刷画像８を視覚的に判定することによって行われ、しかも補償された欠陥印刷ノズル１１が、印刷画像８において視覚的にもはや識別できないような形態で行われる。このようにして算出される値は、平均すれば、平均的な正しい印刷点２３に対応する。
【００２９】
次のステップでは、感度２４の算出が行われ、すなわち、視覚的にはもはや視認できない補償１３について、係数ＫＦ３およびＫＦ５ならびにＤＦ２およびＤＦ６の、印刷ノズルの印刷点２３ΔＸ２〜ΔＸ６に対する依存度ａｘｙが算出される。この算出は、インクジェット検査台においてまたはシミュレーションを介して行うことが可能である。ここで挙げた図４の例において、印刷ノズル４の補償１３のため、感度１４は次のようになる。すなわち、
ａ２２＝ΔＤＦ２／ΔＸ２  ａ２３＝ΔＤＦ２／ΔＸ３  ａ２５＝ΔＤＦ２／ΔＸ５
ａ２６＝ΔＤＦ２／ΔＸ６  ａ３２＝ΔＫＦ３／ΔＸ２  ａ３３＝ΔＫＦ３／ΔＸ３
ａ３４＝ΔＫＦ３／ΔＸ４  ａ３６＝ΔＫＦ３／ΔＸ６  ａ５２＝ΔＫＦ５／ΔＸ２
ａ５３＝ΔＫＦ５／ΔＸ３  ａ５４＝ΔＫＦ５／ΔＸ４  ａ５６＝ΔＫＦ５／ΔＸ６
ａ６２＝ΔＤＦ６／ΔＸ２  ａ６３＝ΔＤＦ６／ΔＸ３  ａ６５＝ΔＤＦ６／ΔＸ５
ａ６６＝ΔＤＦ６／ΔＸ６
である。
【００３０】
次に、最後の方法ステップにおいて、欠陥印刷ノズル１１の補償を行う。印刷ノズル２〜６の印刷位置を測定することによって既知になった印刷ノズル位置もしくは印刷点の目標位置からのそれらのずれにより、印刷ノズル４を遮断した後、補償係数ＫＦ３およびＫＦ５ならびにダイリューション係数ＤＦ２およびＤＦ６を計算して、使用することができる。これらの係数は、関与する印刷ノズルの印刷位置に対応しており、もはや標準の係数には対応しない。
ＤＦ２＝ＤＦｓｔｄ＋ａ２２×ΔＸ２＋ａ２３×ΔＸ３＋ａ２５×ΔＸ５＋ａ２６×ΔＸ６
ＫＦ３＝ＫＦｓｔｄ＋ａ３２×ΔＸ２＋ａ３３×ΔＸ３＋ａ３５×ΔＸ５＋ａ３６×ΔＸ６
…  等々。
【００３１】
本発明による方法の利点は、遮断されたすべての欠陥印刷ノズル１１が正しく補償され、「白すじ」９が残ることがなく、「ダークライン」がもはや生じないことにある。このことは、補償の際に依存度を算出するために計算コストもしくは所要メモリが増大するというような、場合によっては生じ得る欠点を埋め合わせて余りあるものである。
【００３２】
別の有利な一変形実施例において、印刷ノズル２〜６の振幅Ａｘ（強さ）に対する依存度ＫＦ３，５およびＤＦ２，６の算出ならびにこれらの組み合わせも同様に行うことができ、欠陥印刷ノズル１１の補償の際に考慮することができる。
【００３３】
別の解決のアプローチは、濃度補償と同様に、印刷点および／または振幅および／または分散を考慮して実行されるシグマ・デルタ方式を繰り返して適用することである。
【００３４】
別の有利な変形実施例に含まれるのは、以下である。すなわち、
・本発明による方法は、所定の仮定によって簡略化することができる。例えば、対称性を仮定するかまたはＤＦ２＝ｕ×ＫＦ３を前提とすることによる。ただしｕは、１次係数である。
・本発明による方法は、さらに別の隣り合うノズル、例えば図４の例における１および７ならびに別の隣り合う印刷ノズル対に拡張することができる。
・感度１４が一定ではなく、印刷点のずれに依存する場合、感度は、特性曲線を介して表すことができ、使用時に補間を介して計算することができる。
・これまで説明した方式では、ずれの間の相互作用はまだ考慮されていない。これが存在する場合、これは、例えばＤｏＥのようなより複雑な方法を介して算出しなければならない。
・モデル形成を介して、位置依存の係数を算出する。
・不良に噴出する、実際の欠陥印刷ノズル１１を遮断せず、「白すじ」９に隣り合う印刷ノズル１３、１４に対する、ならびにダイリューションに対する補償係数ＫＦｘを、本発明による方法と同様に求める。この場合には当然のことながら、不良に噴出する実際の欠陥印刷ノズル１１の影響を一緒に考慮しなければならない。
【符号の説明】
【００３５】
１  フィーダ
２  印刷基体
３  排紙装置
４  インクジェット印刷機構
５  インクジェット印刷ヘッド
６  計算機
７  インクジェット印刷機
８  全体印刷画像
９  白すじ
１０  模式的な概略図
１１  遮断された欠陥印刷ノズル
１２  アクティブな、ずれて印刷する印刷ノズル
１３  増大されたインク吐出量を有する、隣り合う印刷ノズル（補償）
１４  減少されたインク吐出量を有する、隣り合う印刷ノズル（ダイリューション）
１５  印刷機システム
１６  カメラ
１７  画像検出システム
１８  作業フローシステム
１９  画像処理計算機
２０  ユーザ／印刷工
２１  印刷ノズルテストパターン
２２  印刷されかつ検出された印刷ノズルテストパターン
２３  正しい印刷点
２４  算出した感度
【図１】
2019142222.tif 000003
【図２】
2019142222.tif 000004
【図３】
2019142222.tif 000005
【図４】
2019142222.tif 000006
【図５】
2019142222.tif 000007
【外国語明細書】
2019142222.tif 000008
2019142222.tif 000009
2019142222.tif 000010
2019142222.tif 000011
2019142222.tif 000012
2019142222.tif 000013
2019142222.tif 000014
2019142222.tif 000015
2019142222.tif 000016
2019142222.tif 000017
2019142222.tif 000018
2019142222.tif 000019
2019142222.tif 000020
2019142222.tif 000021
2019142222.tif 000022
2019142222.tif 000023
2019142222.tif 000024
2019142222.tif 000025
2019142222.tif 000026
2019142222.tif 000027
2019142222.tif 000028